(57)【要約】【課題】  ストレッチ効果が大きく、使用者が足を踏ん張ることなく安定して腰のストレッチを行うことのできるストレッチ装置を提供する。【解決手段】  土台１１と、土台から上方に延びて、下端が前記土台に回転可能に支持された一対の支柱部１２と、一対の支柱部と一体に設けられ、一対の支柱部の上端の間を延びる膝掛部１３とを備え、膝掛部に掛けた使用者の脚の屈伸動作により、前記支柱部は前記下端を中心に回転可能とされる。【選択図】  図１
2014161551.tif 000002
【特許請求の範囲】
【請求項１】
土台と、
前記土台から上方に延びて、下端が前記土台に回転可能に支持された一対の支柱部と、
前記一対の支柱部に支持される膝掛部とを備え、
前記膝掛部は、一方の前記支柱部の上端から他方の前記支柱部の上端へ延び、
前記膝掛部に掛けた使用者の脚の屈伸動作により、前記支柱部は前記下端を中心に回転可能とされる健康増進用ストレッチ装置。
【請求項２】
前記土台には、回転規制手段が設けられ、
前記支柱部が所定位置にあるときに、前記回転規制手段は、前記支柱部の一方側部分に当接することで、前記支柱部の所定位置から一方側への回転を規制し、
前記支柱部は、前記所定位置から他方側への回転が可能とされる請求項１に記載の健康増進用ストレッチ装置。
【請求項３】
前記膝掛部は、高さ調整が可能である請求項１または２に記載の健康増進用ストレッチ装置。
【請求項４】
前記膝掛部を前記支柱部に固定する固定手段をさらに備え、
前記一対の支柱部は、下端が前記土台部に回転可能に支持されて、上端が開口する一対の筒体を備え、
前記膝掛部は、使用者の脚が掛けられる基部と、該基部の両端から略並行に延び出る一対の脚部とを備え、各前記脚部は、対応する前記筒体の開口から前記筒体の内部にスライド自在に挿入されて、
前記固定手段は、前記筒体の内部に挿入された脚部を固定し、該固定手段による脚部の固定位置が変更されることで、前記膝掛部は高さ調整が可能である請求項３に記載の健康増進用ストレッチ装置。
【請求項５】
前記一対の支柱部は、固定手段としてのボルトねじを備え、
各筒体には、それぞれ第１ボルト孔が設けられ、
各前記脚部の下端には、それぞれ第２ボルト孔が設けられ、
各前記脚部が前記筒体内に挿入された状態では、前記第２ボルト孔が前記第１ボルト孔と連通して、前記第１ボルト孔と前記第２ボルト孔とに前記ボルトねじが通されることで、各前記膝掛部が前記筒体に固定され、
前記第１ボルト孔と前記第２ボルト孔との少なくとも一方は、複数形成され、前記ボルトねじを通す前記第１ボルト孔或いは前記第２ボルト孔が変更されることで、前記接続部の高さ調整が可能である請求項４に記載の健康増進用ストレッチ装置。
【請求項６】
前記膝掛部の表面は、ゴム、布、プラスチックのいずれか一つにより覆われる請求項１乃至５のいずれかに記載の健康増進用ストレッチ装置。
【発明の詳細な説明】
【技術分野】
【０００１】
本発明は、ストレッチ装置に関するものである。
【背景技術】
【０００２】
現在、多くの人々が、椅子に長時間座り続けるデスクワークやスポーツなどにより、腰に負担をかける生活を送っている。このような生活は、腰椎や椎間板にアンバランスな力が加わって中枢神経が圧迫されるため、腰痛を引き起こす原因となる。そこで、腰痛対策として様々な健康増進具が提案されている。
【０００３】
例えば、特許文献１では、平板状の板部と、該板部の背面に突出させた背面部材を備えたＴ字状の健康増進具が提案されている。この健康増進具は、背面部材の先端が床面に着くように床に置かれるものであり、この状態において、板部は、背面部材の上側で横に延びる。使用者は、仰向けの姿勢で板部の上に載り、足先で板部の一端部を押し下げる。すると、テコの原理により背面部材を支点にしてシーソーのように板部の他端が押し上げられる。これにより、使用者の腰部が上に引き上げられ、腰部の筋肉が引っ張られる。
【先行技術文献】
【特許文献】
【０００４】
【特許文献１】特開２００９−７２２６２号公報
【発明の概要】
【発明が解決しようとする課題】
【０００５】
しかしながら、特許文献１の装置では、腰部が押し上げられる高さは、板部の一端部を押し下げる足先の力に応じて定まるため、足の力の弱い高齢者などは、腰部を充分押し上げることができず、大きなストレッチ効果が得られなかった。また、足先で板部を押し下げなくてはならないため、力を加えにくく、ストレッチ運動の間、常に足を踏ん張らねばならなかった。また、足の力を抜くとすぐに板部が動いてしまうため、安定が悪くストレッチ運動を繰り返して行いにくかった。
【０００６】
本発明は、上記課題を解決するためになされたものであり、足の力の弱い使用者でも足を踏ん張ることなく大きなストレッチ効果を得ることができると共に、安定して腰のストレッチを行うことのできるストレッチ装置を提供する。
【課題を解決するための手段】
【０００７】
前記課題を解決するため、本発明は、
土台と、
前記土台から上方に延びて、下端が前記土台に回転可能に支持された一対の支柱部と、
前記一対の支柱部に支持される膝掛部とを備え、
前記膝掛部は、一方の前記支柱部の上端から他方の前記支柱部の上端へ延び、
前記膝掛部に掛けた使用者の脚の屈伸動作により、前記支柱部は前記下端を中心に回転可能とされる健康増進用ストレッチ装置
を提供している。
【０００８】
使用者は仰向けになった状態で膝掛部に膝を掛け、頭部と膝で体を支えながら腰部を上に持ち上げ、脚の屈伸動作により支柱部および膝掛部を脚側に回転させる。このため、腰部は上に持ち上げられた状態で脚側に牽引され、使用者は著しいストレッチ効果を得ることができる。
【０００９】
また、使用者は頭部と膝で体を支えており、屈伸動作により脚の重さを利用して支柱部を回転させるため、足に力を入れて踏ん張る必要がない。
【００１０】
さらに、膝掛部に膝を掛けて膝掛部の回転を動きを使用者自身が制御しているため、腰を上に持ち上げた状態と腰を下ろした状態を繰り返しても使用者の意に反して膝掛部が動くことがなく、ストレッチ運動を安定して行うことができる。また、繰り返し運動も行いやすい。
【００１１】
前記土台には、回転規制手段が設けられ、
前記支柱部が所定位置にあるときに、前記回転規制手段は、前記支柱部の一方側部分に当接することで、前記支柱部の所定位置から一方側への回転を規制し、
前記支柱部は、前記所定位置から他方側への回転が可能とされることが好ましい。
支柱部が他方側すなわち脚側に回転する場合には腰部の牽引によるストレッチ効果が高まるが、支柱部が一方側すなわち頭側に回転する場合は、腰部が牽引されずストレッチ効果が弱まる。このため、前記構成により、腰部への牽引の効果が弱まることを防ぐことができる。
【００１２】
前記膝掛部は、高さ調整が可能であることが好ましい。
【００１３】
前記構成によれば、膝掛部の高さを調整することで、使用者の身長や脚の長さに合わせてストレッチ装置を用いることができる。
【００１４】
前記膝掛部を前記支柱部に固定する固定手段をさらに備え、
前記一対の支柱部は、下端が前記土台部に回転可能に支持されて、上端が開口する一対の筒体を備え、
前記膝掛部は、使用者の脚が掛けられる基部と、該基部の両端から略並行に延び出る一対の脚部とを備え、各前記脚部は、対応する前記筒体の開口から前記筒体の内部にスライド自在に挿入されて、
前記固定手段は、前記筒体の内部に挿入された脚部を固定し、該固定手段による脚部の固定位置が変更されることで、前記膝掛部は高さ調整が可能であることが好ましい。
【００１５】
前記構成により、支柱部の高さを調整することができる。
【００１６】
前記一対の支柱部は、固定手段としてのボルトねじを備え、
各筒体には、それぞれ第１ボルト孔が設けられ、
各前記脚部の下端には、それぞれ第２ボルト孔が設けられ、
各前記脚部が前記筒体内に挿入された状態では、前記第２ボルト孔が前記第１ボルト孔と連通して、前記第１ボルト孔と前記第２ボルト孔とに前記ボルトねじが通されることで、各前記膝掛部が前記筒体に固定され、
前記第１ボルト孔と前記第２ボルト孔との少なくとも一方は、複数形成され、前記ボルトねじを通す前記第１ボルト孔或いは前記第２ボルト孔が変更されることで、前記接続部の高さ調整が可能であってもよい。
【００１７】
前記膝掛部の表面は、ゴム、布、プラスチックのいずれか一つにより覆われることが好ましい。
【００１８】
前記構成によれば、使用者の膝裏と膝掛部の接する位置がゴム、布、プラスチックなど柔らかいクッション性のある部材で覆われるため、使用者の膝裏にかかる負担を軽減でき、膝裏に痛みを生じにくくすることができる。
【発明の効果】
【００１９】
本発明に係る健康増進用ストレッチ装置によれば、足の力の弱い使用者でも足を踏ん張ることなく大きなストレッチ効果を得ることができると共に、安定して腰のストレッチを行うことができる。
【図面の簡単な説明】
【００２０】
【図１】本発明のストレッチ装置の第１実施形態を示す斜視図である。
【図２】本発明のストレッチ装置の支柱部の高さ調節の説明図である。
【図３】図１のストレッチ装置の使用方法の説明図である。
【図４】第１実施形態の変形例である。
【図５】ストレッチ装置の第２実施形態を示す斜視図である。
【図６】ストレッチ装置の第３実施形態を示す（ａ）斜視図、（ｂ）側面図である。
【発明を実施するための形態】
【００２１】
以下、本発明に係る健康増進用ストレッチ装置１０の一実施形態について図１〜図３を参照して説明する。
【００２２】
図１に示すように、ストレッチ装置１０は、土台１１と、土台１１から上方に延びて、下端が土台１１に回転可能に支持された一対の支柱部１２と、一方の支柱部１２の上端から他方の支柱部１２の上端へ延び、一対の支柱部１２に支持される膝掛部１３とを備えている。
【００２３】
土台１１は、断面中空の角状パイプから形成されて、略矩形の輪状を呈している。
土台１１の矩形は、膝掛部１３に対して略直交する方向に延びる一対のパイプ部１１１、１１１と、膝掛部と略並行に延びる一対のパイプ部１１２、１１２とから構成されている。
【００２４】
パイプ部１１１、１１１の中央には、上方に延びる一対のブラケット１４、１４が設けられる。後述する支柱部１２の下端は、ピン１４１を介してブラケット１４に回転可能に取り付けられる。支柱部１２は、ブラケット１４、１４の内側に配置されており、ブラケット１４の内側面には、回転規制手段としての規制突起１５が設けられる。図１に示すように、支柱部１２が土台に対して垂直な位置にある状態では、規制突起１５は、支柱部１２の一方側部分に当接し、支柱部１２が垂直な位置から一方側すなわち頭側に回転することを規制している。支柱部１２は、上記垂直な位置から他方側すなわち脚側への回転が可能となる。
【００２５】
一対の支柱部１２は下端が土台１１に回転可能に支持されて、上端が開口する一対の筒体１２１、１２１を備えている。
【００２６】
膝掛部１３は一対の支柱部１２に固定手段であるボルトねじ１９で固定されている。膝掛部１３は、使用者の脚が掛けられる基部１３１と、該基部１３１の両端から略並行に延び出る一対の脚部１３２、１３２とを備えている。基部１３１の表面にはゴム１６が巻かれており、使用者の膝裏への負担を軽減している。
【００２７】
各脚部１３２、１３２は、対応する筒体１２１、１２１の開口から筒体１２１、１２の内部にスライド自在に挿入される。
【００２８】
ボルトねじ１９は筒体１２１、１２１の内部に挿入された脚部１３２、１３２を固定しており、ボルトねじ１９による脚部１３２、１３２の固定位置が変更されることで、膝掛部１３は高さ調整が可能である。
【００２９】
各筒体１２１、１２１には、それぞれ第１ボルト孔１２１ａが設けられ、各脚部１３２、１３２の下端には、それぞれ第２ボルト孔１３２ａが設けられる。各脚部１３２、１３２が筒体１２１、１２１内に挿入された状態では、第２ボルト孔１３２ａが第１ボルト孔１２１ａと連通して、第１ボルト孔１２１ａと第２ボルト孔１３２ａとにボルトねじ１９が通されることで、膝掛部１３が筒体１２１、１２１に固定される。
【００３０】
すなわち、図１、図２に示すように、筒体１２１には長さ方向に等間隔に複数の第１ボルト孔１２１ａが設けられる。挿入部１２２の下端には第２ボルト孔１３２ａが設けられる。脚部１３２、１３２は、第２ボルト孔１３２ａが第１ボルト孔１２１ａのいずれかと連通するように、筒体１２１内に挿入される。そして該連通する第１ボルト孔１２１ａと第２ボルト孔１３２ａとにボルトねじ１９が通され、ボルトねじ１９が筒体１２１に締結されることで、脚部１３２、１３２は筒体１２１に固定される。以上の構成によれば、ボルトねじ１９を通す第１ボルト孔１２１ａを変更することで、脚部１３２、１３２の高さが変わるので、膝掛部の高さ調整が可能である。
【００３１】
なお、筒体１２１に複数の第１ボルト孔１２１ａを設けることの代わりに、脚部１３２、１３２には、複数の第２ボルト孔１３２ａを設けるようにしてもよい。この場合、ボルトねじ１９を通す第２ボルト孔１３２ａを変更することで、脚部１３２、１３２の高さが変わるので、膝掛部１３の高さ調整が可能である。
【００３２】
上記の土台１１、支柱部１２、膝掛部１３、ブラケット１４、規制突起１５はプラスチックで構成されており、軽量化を図っている。
【００３３】
次に、ストレッチ装置１０の使用方法を図３を用いて説明する。
【００３４】
まず、使用者は自分の身長や脚の長さに合わせて支柱部１２の高さを調節して、支柱部１２を土台１１に対して垂直な状態にする。
【００３５】
次に、図３（ａ）に示すように、使用者は支柱部１２の回転が規制された一方側を頭側、回転可能な他方側を脚側として仰向け姿勢で横たわり、膝掛部１３の基部１３１に膝を掛ける。
【００３６】
次に、図３（ｂ）に示すように、使用者は膝裏と頭部で体を支えて突っ張りながら腰部を持ち上げる。腰部が浮くことで重力により股関節が上下に引っ張られ、腰部のストレッチが行われる。
【００３７】
さらに、図３（ｃ）に示すように、使用者は脚を屈伸運動して脚の重さを利用して膝掛部１３および支柱部１２を脚側に回転させる。これにより、腰部を身長方向に牽引する力が働き、ストレッチ効果が高まる。脚の重さを利用することで足の力の弱い使用者でも、支柱部を回転させ、ストレッチ効果を得ることができる。
【００３８】
使用者は、図３（ｂ）の姿勢を経ずに、図３（ａ）の姿勢から直接図３（ｃ）の姿勢となってもよい。また、図３（ａ）から図３（ｃ）の姿勢を交互に繰り返してもよく、図３（ｂ）と図３（ｃ）の姿勢を交互に繰り返してもよい。
【００３９】
本発明のストレッチ装置１０によれば、腰部は上に持ち上げられた状態で脚側に牽引されるため、使用者は著しいストレッチ効果を得ることができる。足の力の弱い使用者でも足を踏ん張ることなく大きなストレッチ効果を得ることができると共に、安定して腰のストレッチを行うことのできる
本発明者によれば、腰部の痺れや痛み、これによる歩行障害などの神経障害の症状は脊椎骨から出ている中枢神経が癒着していることにより発生するが、本発明のストレッチ装置１０を用いることで中枢神経が引っ張られ、本発明者も経験しているが、従来達成できなかった想像以上のリハビリ効果を発揮させることができる。
【００４０】
以上、本発明の第１実施形態について説明したが、本発明の第１実施形態は上記形態に限定されるものではなく、その趣旨を逸脱しない限りにおいて、種々の変更が可能である。
【００４１】
例えば、膝掛部１３の表面にはプラスチックを巻いてもよい。また、布を巻いてもよく、布の内部に綿などを詰めたクッションを巻いてもよい。
【００４２】
また、上記の土台１１、支柱部１２、膝掛部１３、ブラケット１４、規制突起１５を金属または木で構成してもよい。
【００４３】
さらに、規制突起１５は、金具、蝶番などでもよい。
【００４４】
また、支柱部１２を回転可能な一方側に土台１１と平行になるまで倒すことで、ストレッチ装置１０はコンパクトになり持ち運びがしやすくなる。
【００４５】
図４に第１実施形態の変形例を示す。
【００４６】
脚部１３２、１３２の側面に第２ボルト孔１３２ａを設けるのではなく、図４に示すように脚部１３２、１３２の側面に凹部１３２ｂを設けてばね１３２ｃを挿入し、該ばねにより突起１３２ｄが脚部１３２、１３２の側面から突出する構成としている。脚部１３２の突起１３２ｄが任意の筒体１２１の第１ボルト孔１２１ａに係止することで脚部１３２と筒体１２１を固定する。
【００４７】
突起１２２ｄは側面から見て筒体１２１に設けた第１ボルト孔１２１ａと略同じ直径の円状である。突起１２２ｄの脚部１３２の側面からの突出長さは、突起１２２ｄを凹部１３２ｂに押し込んだときに脚部１３２、１３２の側面から突出しない長さとし、脚部１３２、１３２を筒体１２１にスライド自在に挿入できるようにしている。かつ、脚部１３２の側面からの突出長さは、筒体１２１の第１ボルト孔１２１ａに突起１３２ｄが十分に係止できる長さである。
【００４８】
図５は第２実施形態を示す。
【００４９】
ストレッチ装置１０の膝掛部１３にベルト１７を設けている。ベルト１７により使用者の膝頭の上を締付け、膝掛部１３と膝を固定している。
【００５０】
前記構成によれば、脚の屈伸運動によっても膝が膝掛部１３から動かないため、使用者は安定してストレッチ運動を行うことができ、ストレッチ効果が高まる。
【００５１】
なお、ベルト１７による脚の締付位置は膝頭の上に限られず、膝掛部１３と膝が固定できればいずれの位置でもよい。
【００５２】
図６は第３実施形態を示す。
【００５３】
土台１１は板状であり、支柱部１２の回転が規制された頭側に延在している。使用者は土台１１上で仰向け姿勢に横たわっている。
【００５４】
前記構成によれば、使用者は自身の体重でストレッチ装置１０を地面に押さえつけているので、ストレッチ装置１０の使用中にストレッチ装置１０が地面から浮いたり動いたりすることがなく、安定した使用が可能となる。
【符号の説明】
【００５５】
１０  ストレッチ装置
１１  土台
１２  支柱部
１２１  筒体
１２１ａ  第１ボルト孔
１３  膝掛部
１３１  基部
１３２  脚部
１３２ａ  第２ボルト孔
１４  ブラケット
１５  規制突起
１９  ボルトねじ
【図１】
2014161551.tif 000003
【図２】
2014161551.tif 000004
【図３】
2014161551.tif 000005
【図４】
2014161551.tif 000006
【図５】
2014161551.tif 000007
【図６】
2014161551.tif 000008